(57)【要約】【課題】バックアップ電源を盤面側の機構に設けると共に、異なる機種毎の仕様変更を不要とした遊技機を提供すること。【解決手段】主制御装置を備えた遊技盤と、遊技盤に設けられた各種装置に電力を供給する電力供給手段が配設された遊技枠と、を備えた遊技機で、遊技盤は、電力供給手段からの電力供給を行うための遊技盤側コネクタを設けた遊技盤側中継基板を備え、遊技枠は、遊技盤の取り付け時に、遊技盤側コネクタに接続される遊技枠側コネクタを備え、電力供給手段は、遊技枠に遊技盤が取り付けられたとき、接続状態となった遊技枠側コネクタ及び遊技盤側コネクタを介して、主制御装置に電力を供給し、遊技盤中継基板の遊技盤側コネクタから主制御装置への途中に設けられたバックアップ電源生成手段は、遊技盤側コネクタを介して主制御装置に供給される電力の一部を用いて主制御装置用のバックアップ電源を生成する。【選択図】        図２１
2018038506.tif 000002
【特許請求の範囲】
【請求項１】
表側に遊技領域が形成されると共に、裏側に遊技の進行を司る主制御装置が配設されてなる遊技盤と、
前記遊技盤が着脱可能に取り付けられると共に、取り付けられた前記遊技盤に配設された各種装置に電力を供給する電力供給手段が配設された遊技枠と、を備えた遊技機において、
前記遊技盤は、前記電力供給手段から前記主制御装置への電力供給を行うための遊技盤側コネクタを設けた遊技盤側中継基板を備え、
前記遊技枠は、該遊技枠に前記遊技盤が取り付けられた際に、前記遊技盤側コネクタに接続される遊技枠側コネクタを備え、
前記電力供給手段は、
前記遊技枠に前記遊技盤が取り付けられたとき、接続状態となった前記遊技枠側コネクタ及び前記遊技盤側コネクタを介して、前記遊技盤に配設された主制御装置に対し電力を供給し、
前記遊技盤中継基板は、前記主制御装置用のバックアップ電源を生成するためのバックアップ電源生成手段を備え、
前記バックアップ電源生成手段は、
前記遊技盤側コネクタから前記主制御装置への途中に設けられ、前記遊技盤側コネクタを介して主制御装置に供給される前記電力の一部を用いて前記バックアップ電源を生成すること、
を特徴とする遊技機。
【請求項２】
請求項１に記載の遊技機において、
前記遊技枠の裏側に賞球に係る制御を実行する払出制御装置を備え、
電源遮断時には前記賞球に係る制御により生成された払出情報を前記主制御装置にて記憶すること、
を特徴とする遊技機。
【発明の詳細な説明】
【技術分野】
【０００１】
本発明は遊技機、特にバックアップ電源を備えた遊技機に関する。
【背景技術】
【０００２】
現状知られるところの遊技機であるパチンコ機は、停電等により電源が遮断されたとしても、電源遮断直前の遊技中の情報を電源基板に設けられたバックアップ電源により記憶可能としている。これにより、電源復帰した場合に、遮断前の状態から再度、継続して遊技を可能としている。
【０００３】
また、遊技機の概略構成は、盤面側と内枠側の２つの機構により構成されており、盤面側の機構は遊技機の機種変更に際して機種毎に変更するが、内枠側の機構は新たな機種となった場合でも、これに対応して変更されることがなく、つまり異なる機種で共用されるのが一般的であった。
【０００４】
具体的には、遊技の進行を司る主制御基板（主制御装置）と演出を制御するサブ制御基板（サブ制御装置）等の、すなわち遊技機毎で異なる制御を行うための基板を盤面側に設け、一方内枠側には、各種制御基板に向けて電源を供給するための電源基板と、賞球に関する制御を行うための払出制御基板を設けている。このような従来の遊技機では、上述したように、バックアップ電源は電源基板に備えられているのが一般的である。つまり電源基板を備えてなる内枠側に設けられていることになる。
【０００５】
ところで、遊技中において、遊技の進行に係る不具合が発生した場合に、遊技機つまり内枠側の機構から盤面側の機構を取り外して、不具合の原因を究明しなければならない場合がある。しかしこのような場合、バックアップ電源は内枠側に設けられているため、盤面側への電源供給が途絶してしまうこととなる。そうすると、主制御基板に記憶されて且つ、不具合原因の究明対象であるところの、遊技の進行に係る情報は、消失されてしまうこととなり、当該不具合が発生した遊技機で遊技中だった遊技者に対して、大きな損害を与えかねなかった。また、当該損害を遊技者に与えることを回避するために、不具合を放置しておくわけにもいかず、結果的に対処不能となってしまう、という問題があった。
【０００６】
そこで、バックアップ電源を備えてなる電源基板を、内枠側だけでなく、盤面側にも備えることで、盤面側の機構を内枠側の機構から取り外しても、主制御基板にバックアップ電源を供給可能とするもの（例えば、特許文献１参照）がある。
【先行技術文献】
【特許文献】
【０００７】
【特許文献１】特開２００５−１８５３６９号公報
【発明の概要】
【発明が解決しようとする課題】
【０００８】
しかしながら、特許文献１に記載の遊技機のように、盤面側に電源基板を備えるということは、当然ながら従来の一般的な構成とは異なる基板を新規に設ける必要が生まれる。この点、近年の遊技機は、盤面側に設けた演出用の可動役物の巨大化、加えて、制御処理量の飛躍的な増加の影響により、サブ制御基板も巨大化の傾向を辿っており、盤面側に新たな基板を設置するためのスペースを確保することは極めて困難であった。
【０００９】
また通常、盤面側の機構は、次々と開発される新たな機種毎で、固有の構成として自由に設計される。よって、各基板の配設位置に関しても、特に制約されることなく、適宜好適な位置の決定が自由に為されてきた。したがって、例えバックアップ電源のみをどこかへ新設するとしても、他の基板の配設位置との関係も考慮しなければならず、基板の配設位置に係る設計について、相当の制約を受けることは容易に予想できた。
【００１０】
このような配設位置の問題を解決するために、主制御基板にバックアップ電源を直接設けるように構成することが、効果的な方策の一つとして考えられる。だが、このような構成では、取り外した盤面側の機構を構成する主制御基板を、予め不正に確変状態等の有利な状態を仕込んだ不正な主制御基板に交換出来てしまう危険性が有り、安易に採用出来る方策とはいえなかった。
【００１１】
そこで、本願発明は上記課題に鑑みなされたものであり、バックアップ電源を盤面側の機構に設けると共に、異なる機種毎の仕様変更を不要とすることを目的とする。
【課題を解決するための手段】
【００１２】
上記課題に鑑みなされた請求項１に記載の発明は、表側に遊技領域が形成されると共に、裏側に遊技の進行を司る主制御装置が配設されてなる遊技盤と、遊技盤が着脱可能に取り付けられると共に、取り付けられた遊技盤に配設された各種装置に電力を供給する電力供給手段が配設された遊技枠と、を備えた遊技機に関するものである。
【００１３】
この遊技機では、遊技盤は、電力供給手段から主制御装置への電力供給を行うための遊技盤側コネクタを設けた遊技盤側中継基板を備え、遊技枠は、該遊技枠に遊技盤が取り付けられた際に、遊技盤側コネクタに接続される遊技枠側コネクタを備え、電力供給手段は、遊技枠に遊技盤が取り付けられたとき、接続状態となった遊技枠側コネクタ及び遊技盤側コネクタを介して、遊技盤に配設された主制御装置に対し電力を供給し、遊技盤中継基板は、主制御装置用のバックアップ電源を生成するためのバックアップ電源生成手段を備え、バックアップ電源生成手段は、遊技盤側コネクタから主制御装置への途中に設けられ、遊技盤側コネクタを介して主制御装置に供給される電力の一部を用いてバックアップ電源を生成する。
【００１４】
このように構成することにより、遊技枠への遊技盤の取り付けによって、遊技枠側コネクタと遊技盤側コネクタが接続状態となることで、遊技枠に配設された電力供給手段から遊技盤に配設された主制御装置に対して、電力の供給を可能とし、さらに、遊技盤に設けられると共に遊技盤側コネクタを設けた遊技盤側中継基板に、主制御装置用のバックアップ電源を生成するためのバックアップ電源生成手段を備えたことで、遊技盤を遊技枠から取り外した場合でも、主制御装置が記憶する情報を保持することができる。
【００１５】
また、バックアップ電源生成手段は、遊技盤側コネクタと、主制御装置との間に設けられて、遊技盤側コネクタを介して主制御装置に供給される電力の一部、すなわち大きさの異なる複数種類の電力の内の何れかを利用して、バックアップ電源を生成するので、バックアップ電源を生成するために特別に何らかの特定の電力を電力供給手段は生成する必要がない。
【００１６】
また、遊技枠における遊技枠側コネクタの配設位置は、遊技機の種別が異なっても概ね固定されるので、該遊技枠側コネクタに接続されることとなる遊技盤側コネクタの位置、延いては該遊技盤側コネクタを具備する遊技盤側中継基板の配設位置や、種別、大きさ等は、自ずと遊技盤の限られた領域内で配置可能な条件に限定される。このため、バックアップ電源生成手段を該遊技盤中継基板に搭載することで、遊技機の開発の都度、バックアップ電源生成手段を搭載する位置や搭載する基板の種別等を逐一検討する煩雑な作業を省略することができ、常にバックアップ電源生成手段の配設位置を固定することができる。
【００１７】
なお、請求項２に記載されているように、請求項１に記載の遊技機において、遊技枠の裏側に賞球に係る制御を実行する払出制御装置を備え、電源遮断時には賞球に係る制御により生成された払出情報を主制御装置にて記憶するようにしても良い。
【００１８】
このように構成することにより、未払出等の賞球に関しての払出情報を、主制御装置が記憶可能としたので、払出制御装置にバックアップ電源を供給しなくても、払出情報を記憶保持することができる。
【００１９】
また、仮に電源遮断時に遊技盤を遊技枠から取り外したとしても、主制御装置はバックアップ電源によりバックアップされることで払出情報を消失することなく保持し、遊技者が不利益を被るおそれがない。
【図面の簡単な説明】
【００２０】
【図１】本発明の第１実施形態に係る遊技機の前側斜視図である。
【図２】第１実施形態に係る前記遊技機の遊技枠を示す概略正面図である。
【図３】第１実施形態に係る前記遊技機の遊技盤の正面図である。
【図４】第１実施形態に係る前記遊技盤の裏面図および下方から見た下面図である。
【図５】第１実施形態に係る前記弾球遊技機の後側斜視図である。
【図６】図２のＡ−Ａ線に沿う断面図で、第１実施形態に係る遊技枠に遊技盤を組付ける作業を段階的に示す説明図である。
【図７】図６に示す第１実施形態に係る遊技枠への遊技盤の組付け作業の要部を表す拡大図である。
【図８】第１実施形態に係る遊技枠と遊技盤とを電気的に接続するドロワコネクタを示すもので、その上面図、正面図、側面図である。
【図９】図９（ａ），（ｂ），（ｃ）は移動可能に設けられた第１実施形態に係る前記ドロワコネクタの移動を示す正面図、図９（ｄ），（ｅ），（ｆ）は第１実施形態に係る前記ドロワコネクタの移動を示す側面図である。
【図１０】第１実施形態に係る前記弾球遊技機の電気構成図である。
【図１１】第１実施形態に係る電源基板に関する第１の電気配線図である。
【図１２】第１実施形態に係る電源基板に関する第２の電気配線図である。
【図１３】第１実施形態に係る電源基板に関する第３の電気配線図である。
【図１４】第１実施形態に係る主制御基板に関する電気配線図である。
【図１５】第１実施形態に係るサブ制御基板に関する電気配線図である。
【図１６】第１実施形態に係るドロワコネクタの接続端子の配置を示す図である。
【図１７】第１実施形態に係る前記遊技機に複数設けられた前記ドロワコネクタの配置を示す図である。
【図１８】図１７に対応する第１実施形態に係る前記ドロワコネクタの他の配置を示す図である。
【図１９】第２実施形態に係る電源基板に関する第１の電気配線図である。
【図２０】第２実施形態に係る電源基板に関する第２の電気配線図である。
【図２１】第２実施形態に係る主制御基板に関する電気配線図である。
【図２２】第２実施形態に係るドロワコネクタの接続端子の配置を示す図である。
【発明を実施するための形態】
【００２１】
以下、本発明の実施形態について図面を用いて説明する。なお、本発明の実施の形態は、下記の実施形態に何ら限定されることなく、本発明の技術的範囲に属する限り種々の形態を採り得る。
なお、以下の各図面を参照した説明において、方向、向き及び位置関係等を示す場合には、遊技機設置島設備に設置されて且つ遊技者に対向して位置するパチンコ機１（図１に示す状態）を基準として、向かって右方向を、右、右側、右側方、右側方向、右方向等として説明する。
また、向かって左方向を、左、左側、左側方、左側方向、左方向等として説明する。
また、パチンコ機１（図１に示す状態）を基準として、天井方向を、上、上側、上方、上方向等として説明する。
また、パチンコ機１（図１に示す状態）を基準として、床方向を、下、下側、下方、下方向等として説明する。
また、パチンコ機１（図１に示す状態）を基準として、遊技者（手前）側の方向を、前、前側、前方、前方向、手前、手前側、手前側方向、表、表側、表方、表方向等として説明する。
また、パチンコ機１（図１に示す状態）を基準として、遊技機設置島設備の内部側の方向を、後、後側、後方、後方向、奥、奥側、奥方、奥方向、裏、裏側、裏方、裏方向等として説明する。
このように、以下の図面説明では、個々に視点および視座が変化しても、該規定した方向に関する用語に基づいて説明を行うものとする。なお、部位の説明において、上記記載の用語に「部」や「面」等の用語を複合して記載した場合でも、方向に関しては、無論上記規定に遵うものである。
【００２２】
［第１実施形態］
本発明を適用した遊技機であるパチンコ機を説明する。図１に示すように、パチンコ機１は、縦長の固定外郭保持枠をなす外枠１０にて構成の各部を保持する構造としてある。
外枠１０には、左側の上下の位置に設けたヒンジ１０５，１０５を介して、パチンコ機前面の意匠枠２０および内枠３０（遊技枠）が開閉可能に設けられている。意匠枠２０の枠内には板ガラス２００が嵌め込まれており、板ガラス２００の奥には前記内枠３０に組付けられた遊技盤４０が設けられている。尚、意匠枠２０は外枠１０に限らず内枠３０にヒンジを設けてこれにヒンジ結合される構成でもよい。
【００２３】
意匠枠２０の上部には遊技状態に応じて発光する枠側装飾ランプや遊技の異常を報知するＬＥＤ類を備えた装飾部２１０が設けられている。また意匠枠２０の上部の左右両側位置にはそれぞれスピーカ部２１１，２１２が設けられ、これらは内蔵されたスピーカより出力される遊技音を透過する構成で、前記遊技音により遊技の趣向性を向上させる。
意匠枠２０の下半部には、賞球や貸し球として払い出された遊技球を遊技盤４０の遊技領域４１へ向けて発射する発射待ちの遊技球として貯留する上皿２２と下皿２３とが一体に形成されている。上皿２２には左側に貸出ボタン２２１、精算ボタン２２２および残高表示器２２３が設けられている。また中央には演出ボタン２２５が設けられている。
【００２４】
下皿２３は上皿２２から溢れた遊技球を受ける構成で、球抜きレバーの操作により下皿２３に溜まった遊技球を遊技施設に備えられた別箱(ドル箱)に移すことができる。
下皿２３の右側には発射ハンドル２４が設けられ、該発射ハンドル２４を時計回りに操作することにより発射基板が作動して、上皿２２から供給された遊技球が遊技盤４０の遊技領域４１に向けて発射される。
【００２５】
尚、図中、２５は、意匠枠２０および内枠３０を外枠１０にロックするシリンダ錠であり、該シリンダ錠２５に所定の鍵を挿入し、鍵を時計回りに操作して前記内枠３０を開放するようになし、反時計まわりの操作により意匠枠２０を開放する。
【００２６】
図２は前記意匠枠２０の無い状態における内枠３０と、これに組付けた遊技盤４０とを示す概略正面図である。遊技盤４０を支持する内枠３０は金属フレームからなり、上縁および下縁をなす上枠部３０１、下枠部３０２と、左右の縦枠部３０３，３０４とを備え、その外形寸法は前記外枠１０の枠内寸法に合わせてあり、外枠１０に一方の縦枠部３０３（図の左側）が前記ヒンジ１０５、１０５によりヒンジ結合されて開閉可能である。
なお、以下の説明において、一方とは、パチンコ機１を前方から視たときの、向かって左方向を意味する。
【００２７】
内枠３０はその枠内に組付けた遊技盤４０を、一方の縦枠部３０３の上下に設けられたサポート部材５３，５３により遊技盤４０の一方の側縁４０３の上下位置を係合保持するとともに、上枠部３０１および下枠部３０２に設けられたロック部５４，５４により他方の縦枠部３０４（図の右側）寄りの位置で遊技盤４０の上縁および下縁をロックする。
なお、以下の説明において、他方とは、パチンコ機１を前方から視たときの、向かって右方向を意味する。
【００２８】
内枠３０の上枠部３０１には、左右両端のコーナー部内に左右一対のスピーカ５１１，５１２が設けられている。
内枠３０の下枠部３０２はその上下幅が広く、下枠部３０２のほぼ中央位置には遊技盤４０へ向けて遊技球を発射する発射装置５２が設置されている。尚、図略ではあるが、発射装置５２の設置位置に応じ、前記上皿２２はその左右幅方向の中央より遊技球を取り込んで発射装置５２へ送るように構成されている。
【００２９】
また内枠３０の下枠部３０２には前記意匠枠２０の上皿２２へ賞球又は貸し球としての遊技球を払い出す払出口５５と、前記上皿２２の満杯時に上皿２２から溢れた遊技球を前記下皿２３へ流下せしめる流下通路５６、および溢れた遊技球を下皿２３へ払い出す溢れ球口５７が設けられている。尚、払出口５５にはこれを開閉可能な仕切板５５１が、溢れ球口５７にはこれを開閉可能な仕切板５７１が各々設けられており、通常、仕切板５５１および５７１は開放しており遊技球供給通路６３と上皿２２、溢れ球口５７と下皿２３とが連通している。意匠枠２０が開放されると仕切板５５１および５７１を閉じて前記払出口５５、溢れ球口５７から遊技球がこぼれないようにしている。
【００３０】
図３は遊技盤４０の正面図であり、遊技盤４０には外レール４０１と内レール４０２とによって囲まれた略円形の遊技領域４１が形成されている。遊技領域４１には、その中央部に表示枠飾りたるセンターケース４１１（装飾役物）が装着され、その内部には大型の演出図柄表示装置４１２が設置されている。演出図柄表示装置４１２の左横には普通図柄(以下、単に普図という)の始動口４１３が設置されている。始動口４１３は遊技球が通過可能なゲートで構成されている。始動口４１３は普図の当否抽選を実行する始動口であり、始動口４１３を遊技球が通過すると普図の当否抽選用の複数種類の乱数が抽出され、抽出された乱数に基づいて当否判定が行なわれる。
【００３１】
演出図柄表示装置４１２の直下位置には、遊技球の入球により特別図柄(以下、単に特図という)の当否抽選の起因となる特図始動口４１４が配設されている。特図始動口４１４は前記普図の当否抽選が当選したときに開放される普通電動役物（可動役物）からなる。特図始動口４１４へ遊技球が入球すると複数種類の乱数が抽出され、抽出された乱数は特図の保留記憶として記憶される。そして、これらの乱数に基づいて特図の当否抽選が行われる。
【００３２】
前記特図始動口４１４の下方位置には、特図の当否抽選が当選となって当り遊技に移行したときに開放される特別電動役物（可動役物）からなる大入賞口４１５が配設されている。
【００３３】
また特図始動口４１４の左右両横には、複数の普通入賞口４１６が配設されている。
遊技盤４０の下端の他方の側縁４０４寄りの位置には内レール４０２の外周沿いに、普図や特図の保留記憶数、普図の当否、特図の表示、および確変や時短の表示など遊技状態に関する表示等が配設され、遊技の状態を報知する装飾役物たる遊技状態報知装置４１７が設けられている。
尚、遊技領域４１には多数の遊技釘が植設されており、盤面最下部にはアウト口４１８が設けられている。
【００３４】
図４は遊技盤４０の裏面図および下面図を示すもので、遊技盤４０の裏面には、その下端部に遊技全般の制御（遊技の進行）を司る主制御基板８０が設置され、裏面ほぼ中央にサブ制御基板として前記演出図柄表示装置４１２を制御する演出図柄制御基板８２や、音声、ランプ類の制御等を司るサブ統合基板８３、および図示しない遊技盤４０を貫通する前記特図始動口、大入賞口などの可動役物や前記センターケース、遊技状態報知装置などの装飾役物の部品類が設置されている。
尚、主制御基板８０、演出図柄制御基板８２、サブ統合制御基板８３はそれぞれ専用の基板ケースに収納された状態で遊技盤４０の裏面に取付けられている。またこれ等、遊技盤の４０の裏面に設置された基板類や部品類は全体的に合成樹脂からなるカバー部材４２０で被覆されている。
【００３５】
遊技盤４０の裏面下端部の他方の側縁４０４寄りの位置には、遊技盤４０側の主制御基板８０、演出制御基板８２、サブ統合基板８３等と、内枠３０側に設けられた後述の電源基板や他の制御基板等とを電気的に接続する盤側第１ドロワコネクタ７１Ａ、盤側第２ドロワコネクタ７２Ａ、および盤側第３ドロワコネクタ７３Ａが設けられている。これらのコネクタ７１Ａ，７２Ａ，７３Ａは、遊技盤４０の幅方向（パチンコ機の幅方向）に沿う横向きの状態でコネクタ支持部７０１に取付けられ、前記カバー部材４２０の裏面より後方へ向けて突設されている。
【００３６】
図５はパチンコ機１の裏面側を示す斜視図で、パチンコ機１の裏面側には、内枠３０の裏面上端部に球タンク６１が設けられている。球タンク６１は図略の遊技施設の島設備から供給される遊技球を受ける。球タンク６１にはタンクレール６２が連結され、該タンクレール６２を介して遊技球を、内枠３０の裏面の一方の側縁に沿って縦方向に設けられた遊技球供給通路６３へ送出すように構成されている。尚、内枠３０の裏面上端部には一方の側端部に外部接続端子板６０が設置されており、タンクレール６２はこれを避けて設けられている。
【００３７】
遊技球供給通路６３は、球タンク６１からの遊技球を賞球又は貸し球として上皿２２へ払い出すものである。遊技球供給通路６３はその下半部に、払い出す遊技球を計数するとともに、払出量を制御する払出装置６３１と、タンクレール６２からの遊技球を払出装置６３１へ流下せしめる球通路とを備えている。遊技球供給通路６３は、内枠３０の一方の縦枠部３０３に設けられたベース部３１を介して設置されている。
【００３８】
また内枠３０の下枠部３０２の裏面には、電源基板６５や前記払出装置６３ａを制御する図略の払出制御基板やその他の構成部品が設置されている。
内枠３０には、遊技盤４０に設けられた少なくとも主制御基板８０に電力を供給するための電源基板６５を備える。
【００３９】
パチンコ機１の裏面の球タンク６１の下方および遊技球供給通路６３の内側位置で、かつ内枠３０の下枠部３０２裏面の電源基板６５等の上方位置には、内枠３０に組付けられた遊技盤４０の裏面の前記主制御基板、演出図柄制御基板、サブ統合基板、およびこれ等を覆うカバー部材４２０が収納されている。
【００４０】
また内枠３０の裏面には、他方の縦枠部３０４の裏面側の位置において、前記遊技盤４０の裏面の盤側第１、第２および第３ドロワコネクタ（図４の７１Ａ，７２Ａ，７３Ａ）と対応する位置にそれぞれ、内枠３０側の枠側第１ドロワコネクタ７１Ｂ、枠側第２ドロワコネクタ７２Ｂ、および枠側第３ドロワコネクタ７３Ｂがコネクタ支持部７０２により支持されている。そして遊技盤４０側および内枠側の各コネクタ７１Ａ，７１Ｂ，７２Ａ，７２Ｂ，７３Ａ，７３Ｂがそれぞれ、内枠３０に遊技盤４０が組付けられることで自動的に接続されている。
【００４１】
図６に示すように、遊技盤４０の内枠３０への組付け作業は、内枠３０の枠内にその前方より遊技盤４０を組付けることがなされる。先ず、遊技盤４０はその一方の側縁４０３を、内枠３０の一方の縦枠部３０３側の枠内にその斜め前方より挿入し、内枠３０に対して遊技盤４０が斜めの状態で、前記側縁４０３を前記縦枠部３０３に係合せしめる（図６（ａ）、（ｂ））。前記係合は図２に示した前記サポート部材５３、５３によりなされる。前記係合の後、係合した部位を回動中心として、遊技盤４０の他方の側縁４０４を矢印Ｇ方向に沿って内枠３０の他方の縦枠部３０４側の枠内へ押し込み（図６（ｃ）、（ｄ））、前記ロック部５４，５４（図２）によりロックせしめる。
【００４２】
図７はサポート部材５３により内枠３０の一方の縦枠部３０３に遊技盤４０の一方の側縁４０３を係合せしめる作業を示す。サポート部材５３には前記縦枠部３０３枠内面から突出し断面ほぼＶ字形に屈曲形成したバネ材５３１と、該バネ材５３１よりも後方位置で遊技盤４０の裏面に当接せしめる当接突起５３２が設けられている。
遊技盤４０はその一方の側縁４０３をサポート部材５３のバネ材５３１と当接突起５３２との間に斜めに挿入して、遊技盤の前記側縁４０３に設けられた係合溝４３１に前記バネ材５３１を嵌合せしめる（図７（ａ），（ｂ））。そして、遊技盤４０の他方の側縁側を後方へ押し込むことで、バネ材５３１の先端を前記係合溝４３１内に当接せしめるとともに前記当接突起５３２を遊技盤４０の裏面に当接せしめて、バネ材５３１と当接突起５３２とで遊技盤の一方の側縁を前後に挟み付けて係合保持する（図７ｃ））。
【００４３】
このように、遊技盤４０は内枠３０に取り付けられると共に、上記取り付けプロセスを逆に辿ることで取り外しが可能となっている。すなわち、遊技盤４０は内枠３０に着脱可能に取り付けられるよう構成されている。
【００４４】
次に盤側第１、第２および第３ドロワコネクタ７１Ａ，７２Ａ，７３Ａと枠側第１、第２および第３ドロワコネクタ７１Ｂ，７２Ｂ，７３Ｂに関する説明を、図６、図８および図９に基づき、盤側および枠側の第１ドロワコネクタ７１Ａ，７１Ｂを中心に説明する。尚、図６には第１ドロワコネクタ７１Ａ，７１Ｂのみを記載しており、図４のコネクタ配置とは異なる。
【００４５】
図６に示すように、枠側第１ドロワコネクタ７１Ｂは、内枠３０の他方の縦枠部３０４から後方へこれを延長するように延び、かつ枠内側へ屈曲せしめた断面ほぼＬ字形の金属厚板からなる前記コネクタ支持部７０２に支持されている。コネクタ支持部７０２にはその内面側に、前記遊技盤４０の組付け作業の押し込み時、遊技盤４０の他方の側縁４０４側の移動軌跡（矢印Ｇ）の延長線とほぼ直交するように設けられ、パチンコ機の前面の横幅方向（組付けられた遊技盤４０の前面の横幅方向）に対して他方の側縁側が後方位置となるように所定の角度で傾斜する傾斜状の取付面が設けられている。そして該コネクタ支持部７０２の取付面には枠側の第１ドロワコネクタ７１Ｂが前記移動軌跡に向け、前記傾斜状に設置されている。尚、図略の枠側第２および第３ドロワコネクタ７２Ｂ，７３Ｂも第１ドロワコネクタ７１Ｂと同様、前記コネクタ支持部７０２の取付面に前記傾斜状に設置されている。
【００４６】
内枠３０側の枠側第１ドロワコネクタ７１Ｂに対応して遊技盤４０の裏面には、前記カバー部材４２０に設けられた断面ほぼＬ字形のコネクタ支持部７０１の後面に、前記内枠３０側と同様な傾斜状の取付面が設けられている。そして該取付面には後述の盤枠配線中継端子板（９２）が設置固定され、該盤枠配線中継端子板に盤側第１ドロワコネクタ７１Ａが前記移動軌跡に向け、前記傾斜状に設置されている。尚、図略の盤側第２および第３ドロワコネクタ７２Ａ，７３Ａも第１ドロワコネクタ７１Ａと同様、前記コネクタ支持部７０１の盤枠配線中継端子板に前記傾斜状に設置されている。
【００４７】
図８，図９に示すように、遊技盤４０側の盤側第１ドロワコネクタ７１Ａはオス型で、長方形状のベース部７１１の中央に、接続凸部７１２を備える。接続凸部７１２にはその両端に角柱状のガイド部７１３，７１３が立設され、両ガイド部７１３，７１３間に複数の接続端子（ピン）が並設されている。例えば、第１ドロワコネクタ７１Ａは、上下２段に８ピンずつの接続端子を備え、合計で１６ピンの接続端子を有する。
両ガイド部７１３，７１３は先端が前記接続端子より突出しており、ガイド部７１３，７１３の先端は先細りのテーパー状をなす。
【００４８】
盤側第１ドロワコネクタ７１Ａにはベース部７１１の両端に取付マウント部材７１４，７１４が設けられている。これら取付マウント部材７１４，７１４は、盤側第１ドロワコネクタ７１Ａを前記コネクタ支持部７０１の前記端子板の表面に沿って上下左右に若干移動できるようにフローティイング状態に取付けるものである。これら取付マウント部材７１４，７１４にねじ部材をＮ，Ｎを貫通せしめて前記支持部７０１の前記端子板に締結して、これにより盤側第１ドロワコネクタ７１Ａは前記端子板沿いに上下左右に移動可能に取付けられている（図９の矢印ｘ，ｙ方向）。盤側第１ドロワコネクタ７１Ａはその長手方向をパチンコ機の横幅方向に沿う横向きとし、上下２段の前記複数の接続端子が横方向に並設する状態に取付けられている。尚、盤側第２および第３ドロワコネクタ７２Ａ，７３Ａも盤側第１ドロワコネクタ７１Ａと同様である。
【００４９】
一方、内枠３０側の枠側第１ドロワコネクタ７１Ｂはメス型で、ベース部７２１に盤側第１ドロワコネクタ７１Ａの接続凸部７１２を嵌入する接続凹部７２２を備える。接続凹部７２２内には、盤側第１ドロワコネクタ７１Ａの複数の接続端子と同数の接続端子が設けられている。枠側第１ドロワコネクタ７１Ｂは盤側のコネクタ７１Ａに対応して、内枠３０側のコネクタ支持部７０２の取付面締結固定されている。尚、枠側第２および第３ドロワコネクタ７２Ｂ，７３Ｂも第１ドロワコネクタ７１Ｂと同様である。
【００５０】
このように盤側第１、第２および第３ドロワコネクタ７１Ａ，７２Ａ，７３Ａと、枠側第１、第２および第３ドロワコネクタ７１Ｂ，７２Ｂ，７３Ｂとは、前記内枠３０への遊技盤４０の組付け作業の押し込みにより遊技盤４０が内枠３０の所定位置となったときに自動的に接続されて作業手間が掛からない。
【００５１】
更に、盤側第１、第２および第３ドロワコネクタ７１Ａ，７２Ａ，７３Ａと、枠側第１、第２および第３ドロワコネクタ７１Ｂ，７２Ｂ，７３Ｂとは、互いに前記遊技盤４０の移動軌跡Ｇに沿う方向に設けたこと、遊技盤４０側の盤側第１、第２および第３ドロワコネクタ７１Ａ，７２Ａ，７３Ａを上下左右に移動可能に取付けたので接続されるコネクタ間に位置ズレがあってもこの位置ズレが吸収、修正され、遊技盤４０側のコネクタの接続凸部７１２が内枠３０側のコネクタの接続凹部７２２に嵌入する際にこじれが起きたり異常な荷重が生じないため、スムーズな接続ができる。尚、接続凸部７１２を接続凹部７２２に嵌入する際、接続凸部７１２の両ガイド部７１３，７１３の先端テーパーがスムーズに嵌入案内する。
【００５２】
遊技盤４０側および内枠側３０の各コネクタ７１Ａ，７１Ｂ，７２Ａ，７２Ｂ，７３Ａ，７３Ｂが接続されることにより、遊技盤４０側の主制御基板８０、演出図柄制御基板８２、サブ統合制御基板８３等と、内枠３０側の電源基板６５、払出制御基板等との間で、電源基板６５からの各種電源電圧を供給する電源線や各種の信号線が電気的に接続される。
【００５３】
ところで、盤側および枠側の各コネクタ７１Ａ，７１Ｂ，７２Ａ，７２Ｂ，７３Ａ，７３Ｂは横向きに配置したので、遊技盤４０を内枠３０へ、一方の側縁４０３を回転中心として組付ける際、接続される各ドロワコネクタ７１Ａ，７１Ｂ，７２Ａ，７２Ｂ，７３Ａ，７３Ｂ内において、前記回転中心側の接続端子と外側の接続端子とでは若干の接続時差が生じる。本実施形態では各ドロワコネクタ７１Ａ，７１Ｂ，７２Ａ，７２Ｂ，７３Ａ，７３Ｂを前記傾斜状としたが、十分であるとは言えない。
そこで接続時に安定した電源電圧の供給や安定した信号の送受信を行なうための本実施形態における第１ドロワコネクタ７１Ａ，７１Ｂ、第２ドロワコネクタ７２Ａ，７２Ｂ、第３ドロワコネクタ７３Ａ，７３Ｂ間の配置、および各ドロワコネクタ７１Ａ，７１Ｂ，７２Ａ，７２Ｂ，７３Ａ，７３Ｂ内においての電源線や信号線を接続する接続端子の配置について説明する。
【００５４】
まず、パチンコ機１の電気構成を説明する。図１０に示すように、主制御基板８０、払出制御基板８１、演出図柄制御基板８２、サブ統合制御基板８３および発射制御基板８４においては、詳細の図示は省略するが、これらの制御基板はいずれもＣＰＵ、ＲＯＭ、ＲＡＭ、入力ポート、出力ポート等を備えている。
【００５５】
主制御基板８０は、外部接続端子板を介して遊技施設のホールコンピュータと電気的に接続される。主制御基板８０には、遊技盤中継端子板を介して、特図始動口４１４への入球を検出する特図始動口ＳＷ、普図始動口４１３への入球を検出する普図作動ＳＷ、大入賞口４１５への入球を検出するカウントＳＷ、普通入賞口４１６への入賞球を検出する一般入賞口ＳＷ等の検出信号が入力される。
【００５６】
主制御基板８０は搭載しているプログラムに従って動作して、上述の検出信号などに基づいて遊技の進行に関わる各種のコマンドを生成し、払出制御基板８１、演出図柄制御基板８２およびサブ統合制御基板８３にコマンドを出力することにより、遊技機の遊技を統括制御する。
また主制御基板８０は図柄表示装置中継端子板を介して特図表示装置、特図保留数表示装置、普図表示装置および普図保留数表示装置の表示制御を行なう。
更に主制御基板８０は、大入賞口４１５の開閉駆動する大入賞口ソレノイドを制御して大入賞口４１５を開放作動せしめ、特図始動口４１４を開閉する普通電役ソレノイドの作動を制御する。
【００５７】
遊技盤４０側に設置された主制御基板８０は内枠３０側の払出制御基板８１と盤枠配線中継端子板９２を介して電気的に接続されている。また図略であるが、主制御基板８０への電源やリセット信号やＲＷＭクリア信号も内枠３０側の電源基板６５から前記盤枠配線中継端子板９２を介して供給される。遊技盤４０側の演出図柄制御基板８２や演出図柄表示装置４１２、サブ統合制御基板８３の電源やリセット信号は主制御基板８０を介して供給される。
尚、主制御基板８０への電源やリセット信号やＲＷＭクリア信号については前記盤枠配線中継端子板９２を介して供給されるが、払出制御基板８１を介しても良いし、介さなくても良い。また、リセット信号やＲＷＭクリア信号は払出制御基板８１を介し、電源は電源基板６５から盤枠配線中継端子板９２に直接供給しても良い。リセット信号を演出図柄制御基板８２や演出図柄表示装置４１２、サブ統合制御基板８３に主制御基板８０を介して供給しているが、演出図柄制御基板８２や演出図柄表示装置４１２、サブ統合制御基板８３を盤枠配線中継端子板９２を介して直接供給されるように構成しても良い。また、演出図柄制御基板８２や演出図柄表示装置４１２、サブ統合制御基板８３にＷＤＴ（ウォッチドッグタイマ）を設けて、リセット信号の供給を不要としても良い。
【００５８】
払出制御基板８１は、裏配線中継端子板を介して内枠３０および意匠枠２０が開放しているか否か検出する前面枠（内枠）閉鎖ＳＷ(スイッチ)、意匠枠閉鎖ＳＷや球タンクが空状態になったことを検出する球切れＳＷ等の検出信号が入力され、裏配線中継端子板および払出中継端子板を介して、遊技球が払い出されたことを検出する払出ＳＷ、遊技球貯留皿が満杯状態になったことを検出する満杯ＳＷ等の検出信号が入力される。
払出制御基板８１は、主制御基板８０から送られてくるコマンドに応じて払出モータを稼働させて遊技球を払い出させる。また、ＣＲユニットと電気的に接続され、精算表示装置２２３を介して球貸および精算ＳＷ２２１，２２２による貸出要求、精算要求の操作信号を受け付け、ＣＲユニットとデータを送受し、貸出要求信号に応じて払出モータを稼働させて貸球を払い出させ、ＣＲユニットに挿入されているプリペイドカードの残高表示を制御する。
【００５９】
発射制御装置８４は、発射ハンドルの操作信号、発射停止ＳＷ、発射ハンドルに遊技者が接触（操作）していることを検出するタッチＳＷ等の検出信号が入力される。払出制御基板８１を介して主制御基板８０から送られてくるコマンド（タッチＳＷの信号や遊技状況を反映している）、発射ハンドルの操作信号および発射停止ＳＷの信号に基づいて発射モータを制御して遊技球を発射および停止させる。
【００６０】
サブ統合制御基板８３は、音量調節ＳＷや遊技ＳＷなどの検出信号が入力される。主制御基板８０から送られてくるコマンドに応じて、スピーカを駆動して音声を出力することや、各種ＬＥＤや各種ランプの点灯、消灯等を制御する。更に演出図柄制御基板８２へキャラクタなどを表示する擬似演出や特図の擬似図柄の表示態様のコマンドを送信する。
【００６１】
演出図柄制御基板８２は、ＬＣＤパネルユニットや付属ユニットと共に演出図柄表示装置４１２を構成している。演出図柄制御基板８２は、サブ統合制御基板８３から送られてくるコマンドに応じてＬＣＤパネルの表示を制御する。
【００６２】
図１１ないし図１６に基いて内枠３０側の電源基板６５や払出制御基板８１等と、遊技盤４０側の主制御基板８０や演出図柄制御基板８２等との電源線および信号線等の接続の構成を説明する。
図１１ないし図１３に示したように、電源基板６５には、パチンコ機外部の遊技施設側からＡＣ２４Ｖ電源が、内枠３０側に設けられた電源中継基板９０および第１中継端子板（中継端子板１）９１を介して供給（給電）される。また電源基板６５はグランド線（ＧＮＤ）がパチンコ機の板金部に接続してある。
【００６３】
電源基板６５は、ＧＮＤ、電源基板６５が生成したＤＣ１２ＶＡ電源、ＤＣ５ＶＡ電源、ＤＣ５ＶＢＢ電源を払出制御基板８１へ給電するとともに、ＲＷＭ初期化信号および停電検出信号１，２を払出制御基板８１へ送信可能に接続されている。
また電源基板６５は、ＧＮＤ、電源基板６５が生成したＤＣ３２ＶＡ電源、ＤＣ１８ＶＢ電源、ＤＣ１２ＶＢ電源、ＤＣ１２ＶＡ電源、ＤＣ５ＶＡ電源、ＤＣ５ＶＢＢ電源を第１中継端子板９１へ給電するとともに、ＲＷＭ初期化信号および停電検出信号１，２を第１中継端子板９１へ送信可能に接続されている。
【００６４】
図１１ないし図１４に示すように、前記各種の電源および前記各種の信号のうち、ＧＮＤ、ＤＣ５ＶＡ電源、ＤＣ５ＶＢＢ電源、ＤＣ１２ＶＡ電源、ＤＣ３２ＶＡ電源、ＲＷＭ初期化信号および停電検出信号１，２が第１中継端子板９１を介して枠側第１ドロワコネクタ７１Ｂへ接続される。
【００６５】
これらの電源および信号が接続された枠側第１ドロワコネクタ７１Ｂの接続端子のピン配置は図１６（ａ）に示すように構成してある。上下に２段、横方向に８ピンずつ並設された１６ピンからなる第１ドロワコネクタ７１Ｂには、遊技盤４０を内枠３０に組付ける際に回転中心となる一方の側縁４０３（３０３）側の端部の上下の１番ピン、２番ピンおよびこれらに隣接する３番ピン、４番ピンにＧＮＤが接続されている。
【００６６】
そしてＧＮＤを除く電源および信号の中では最も前記回転中心寄りとなる上下の５番ピン，６番ピンに主制御基板８０のＣＰＵ駆動用の電源であるＤＣ５ＶＡ電源が接続されている。そして７番ピンにメモリバックアップ用のＤＣ５ＶＢＢ電源が、８，９番ピンにＤＣ１２ＶＡ電源が、１０，１１番ピンにＤＣ３２ＶＡ電源が接続され、更に１２，１３，１４番ピンにそれぞれＲＷＭ初期化信号および停電検出信号１，２が接続され、１５，１６番ピンにＧＮＤが接続されている。
ＤＣ１２ＶＡ電源は遊技球を検出するためのスイッチ類の電源、保留記憶数や特図、普図を表示するためのＬＥＤ類の表示用等の電源として使用される。ＤＣ３２ＶＡ電源は特図始動口４１４を開放するためソレノイドや大入賞口４１５を開放するためのソレノイド等の電源として使用される。
【００６７】
勿論、枠側第１ドロワコネクタ７１Ｂと接続される盤側第１ドロワコネクタ７１Ａのピン配置も同様の構成である。
そして図１４に示すように、遊技盤４０側において盤側第１ドロワコネクタ７１Ａおよびこれが取付けられた盤枠配線中継端子板９２を介して、主制御基板８０へ、ＧＮＤ、ＤＣ５ＶＡ電源、ＤＣ５ＶＢＢ電源、ＤＣ１２ＶＡ電源、ＤＣ３２ＶＡ電源が供給され、ＲＷＭ初期化信号および停電検出信号１，２が通信可能に接続される。
【００６８】
また主制御基板８０は、盤枠配線中継端子板９２に取付けられた盤側第２ドロワコネクタ７２Ａと複数種類の信号を通信可能に接続されている。
盤側第２ドロワコネクタ７２Ａの接続端子のピン配置は図１６（ｂ）に示すように構成してある。上下に２段、横方向に１４ピンずつ並設された２８ピンを有する盤側第２ドロワコネクタ７２Ａには、遊技盤４０の一方の側縁４０３側の端部の上下の１番ピン、２番ピンにＧＮＤが接続されている。
そして第２ドロワコネクタ７２Ａの３番ピンから７番ピンには順に、ＢＤ０，１，２，３信号およびＢＳＴＢ信号が主制御基板８０側から送信可能に接続されている。ＢＤ０、ＢＤ１、ＢＤ２、ＢＤ３、ＢＳＴＢは、賞球を払い出すために払出制御基板８１に命令を送る信号である。
一方、８番ピンから１２番ピンには順に、ガラス枠（意匠枠）開放検出ＳＷ信号、遊技枠（内枠）開放検出ＳＷ信号、オーバーフローＳＷ信号、シュート球切れＳＷ信号および払出異常ステータス信号を主制御基板８０側が受信可能に接続されている。更に１３番ピンから２２番ピンには順に、情報１，２，３，４，５，６，７，８，９，１０信号が主制御基板８０側から送信可能に接続され、残りの２３番ピンから２８番ピンにはＧＮＤが接続されている。
【００６９】
盤側第２ドロワコネクタ７２Ａと接続される枠側第２ドロワコネクタ７２Ｂのピン配置も同様の構成である。
そして図１２ないし図１４に示すように前記複数種類の信号は枠側第２ドロワコネクタ７２Ｂを介して前記第１中継端子板９１に接続され、更に複数種類の信号のうちのＢＤ０，１，２，３信号、ＢＳＴＢ信号、オーバーフローＳＷ信号、シュート球切れＳＷ信号および払出異常ステータス信号等が払出制御基板８１に通信可能に接続されている。
また情報１，２，３，４，５，６，７，８，９，１０信号が外部接続端子板６０へ通信可能に接続されている。
【００７０】
図１３および図１５に示すように、電源基板６５で生成されたＤＣ１２ＶＡ電源、ＤＣ１２ＶＢ電源、ＤＣ５ＶＡ電源、ＤＣ１８ＶＢ電源、ＤＣ３２ＶＡ電源は第１中継端子板９１より第２中継端子板９３を介して、複数種類の信号とともに枠側第３ドロワコネクタ７３Ｂへ接続されている。
これらの電源および信号が接続された枠側第３ドロワコネクタ７３Ｂの接続端子のピン配置は図１６（ｃ）に示すように構成してある。上下に２段、横方向に１３ピンずつ並設された２６ピンからなる第３ドロワコネクタ７３Ｂには、前記回転中心となる一方の側縁４０３（３０３）側の端部の上下の１番ピン、２番ピンＧＮＤが接続されている。これらに隣接する３，４，５番ピンにはＤＣ１２ＶＡ電源が、６，７，８番ピンにはＤＣ１２ＶＢ電源が、９，１０番ピンにはＤＣ５ＶＡ電源が、１１，１２番ピンにはＤＣ１８ＶＢ電源が、１３，１４番ピンにはＤＣ３２ＶＡ電源が接続されている。そして信号として、１５，１６番ピンにはそれぞれスピーカ１，２信号が接続され、更に１７番ピンから２４番ピンには順に演出制御データ１，２，３，４，５，６，７，８信号が接続され、２５，２６番ピンにはそれぞれＧＮＤが接続されている。
【００７１】
勿論、枠側第３ドロワコネクタ７３Ｂと接続される盤側第３ドロワコネクタ７３Ａのピン配置も同様の構成である。
そして図１５に示すように、遊技盤４０側において盤側第３ドロワコネクタ７３Ａおよびこれが取付けられた盤枠配線中継端子板９２を介して、演出図柄制御基板８２へ、ＧＮＤ、ＤＣ１２ＶＡ電源、ＤＣ１２ＶＢ電源、ＤＣ５ＶＡ電源、ＤＣ１８ＶＢ電源、ＤＣ３２ＶＡ電源が供給され、スピーカ１，２信号、演出制御データ１，２，３，４，５，６，７，８信号が通信可能に接続される。
ＤＣ１２ＶＡ電源は演出図柄制御基板８２やサブ統合制御基板８３のＣＰＵを駆動させるための３．３Ｖ電源電圧を生成するのに使用され、ＤＣ１２ＶＢ電源は演出用可動役物の位置を把握するためのスイッチ類、演出用のＬＥＤ類の電源として使用される。ＤＣ５ＶＡ電源は演出用ＬＥＤ類を制御するためのＩＣ類の電源に使用され、また、ＤＣ１８ＶＡ電源は演出用ＬＥＤ類の電源として使用され、ＤＣ３２ＶＡ電源は演出用可動役物等を可動させるためのソレノイドやモータ用の電源として使用される。
演出制御データ１，２，３，４，５，６，７，８信号は枠側（意匠枠２０に設けられたＬＥＤ等を制御するためのものである。
【００７２】
次に図１７に基いて第１ドロワコネクタ７１Ａ（７１Ｂ）、第２ドロワコネクタ７２Ａ（７２Ｂ）および第３ドロワコネクタ７３Ａ（７３Ｂ）の配置位置を説明する。尚、図１７はパチンコ機の正面側から見た第１、第２および第３ドロワコネクタの配置を示す概略図で、図面の左側が、遊技盤４０を内枠３０に組付けるときの回転中心となる一方の側縁に当たる。
【００７３】
先ず第１ドロワコネクタ７１Ａ（７１Ｂ）と第２ドロワコネクタ７２Ａ（７２Ｂ）とでは、第１ドロワコネクタ７１Ａ（７１Ｂ）が前記一方の側縁４０３（３０３）寄りの位置に設置され、第１ドロワコネクタ７１Ａ（７１Ｂ）の右側で、水平方向延長線上に第２ドロワコネクタ７２Ａ（７２Ｂ）が設けられている。
これによれば、遊技盤４０を内枠３０へ組付けることにより第１ドロワコネクタ７１Ａ（７１Ｂ）の方が第２ドロワコネクタ７２Ａ（７２Ｂ）よりも早く接続されることとなり、主制御基板８０へは第１ドロワコネクタ７１Ａ（７１Ｂ）からの各種の電源の方が、第２ドロワコネクタ７２Ａ（７２Ｂ）の信号よりも早く供給されることとなる。
更に第１ドロワコネクタ７１Ａ（７１Ｂ）内においても、各種の電源線の接続端子を信号線の接続端子よりも前記一方の側縁寄りの位置に設けたので電源の方が信号より早く基板へ供給される。
【００７４】
第３ドロワコネクタ７２Ａ（７２Ｂ）は、第１ドロワコネクタ７１Ａ（７１Ｂ）の上方位置に設置され、かつ前記一方の側縁４０３（３０３）側の端部の１番、２番ピンが第１ドロワコネクタ７１Ａ（７１Ｂ）の１番、２番ピンと上下方向に同一位置となるように設けられている。
これによれば、第１ドロワコネクタ７１Ａ（７１Ｂ）と第３ドロワコネクタ７３Ａ（７３Ｂ）とは、両者の１番、２番ピンがほぼ同時に接続されることとなる。この場合、第３ドロワコネクタ７３Ａ（７３Ｂ）にはその３番、４番ピンに演出図柄制御基板８２のＣＰＵ駆動用のＤＣ１２ＶＡ電源が接続されており、該電源の方が第１ドロワコネクタ７１Ａ（７１Ｂ）の５番、６番ピンの主制御基板８０のＣＰＵ駆動用のＤＣ５ＶＡ電源よりも早く供給される。尚、前記ＤＣ１２ＶＡ電源は演出図柄制御基板８２のＣＰＵ駆動用の電源電圧を生成するものであり、これから３．３Ｖの電源電圧を生成して演出図柄制御基板８２のＣＰＵを駆動せしめる。
第３ドロワコネクタ７３Ａ（７３Ｂ）内においても、各種の電源線の接続端子を信号線の接続端子よりも前記一方の側縁寄りの位置に設けたので電源の方が信号より早く基板へ供給される。
【００７５】
以上のように構成された本実施形態のパチンコ機によれば、内枠３０側から主制御基板８０へ電源を供給する第１ドロワコネクタ７１Ａ（７１Ｂ）、内枠３０側から主制御基板８０へ信号通信を行う第２ドロワコネクタ７２Ａ（７２Ｂ）、内枠３０側から演出図柄制御基板８２への電源の供給および信号通信を行なう第３ドロワコネクタ７３Ａ（７３Ｂ）はいずれも、内枠３０へ遊技盤４０を組付ける際の回転中心寄りの１番、２番ピンをＧＮＤ線としたので、コネクタの接続時にＧＮＤ線が最初に接続され、各基板８０，８２では電源電圧および信号電圧のローレベル基準が定まり、その後に電源線や信号線が接続されたときに設計値を超えるような電圧がかかることがなく、安定した電源電圧や信号が供給されるので、主制御基板８０や演出図柄制御基板８２の破損を防ぐことができる。
【００７６】
主制御基板８０においては、電源を供給する第１ドロワコネクタ７１Ａ（７１Ｂ）の方が、信号通信を行なう第２ドロワコネクタ７２Ａ（７２Ｂ）よりも早く接続されて先に電源が供給され、かつ第１ドロワコネクタ７１Ａ（７１Ｂ）内でも信号よりも先に電源が供給されるので、主制御基板８０上の各種のＩＣ類が起動した状態でこれらにより確実に各種の信号を送受信することができる。即ち、信号線といっても電気的な信号であるため、電源が供給されていない状態で信号が送信されてしまうと信号が不安定で制御基板の誤動作、故障の原因になるが、信号線よりも先に電源線が接続されるので、各種の信号を安定した状態で通信することができ主制御基板８０の誤動作、故障を防ぐことができる。
更に、第１ドロワコネクタ７１Ａ（７１Ｂ）内において複数種類の電源の中で主制御基板８０のＣＵＰ用の電源を最初に供給するようにしたので、ＣＰＵを早く起動させてＣＰＵが安定してから確実な信号の送受信が可能となり、誤動作や故障を防ぐ効果をより向上させることができる。
【００７７】
また第３ドロワコネクタ７１Ａ（７１Ｂ）により電源の供給および信号通信が行なわれる演出図柄制御基板８２においても、信号よりも先に電源が供給され、かつ電源の中でもＣＰＵ駆動用の電源を最初に供給するので、前記主制御基板８０と同様の作用効果を奏する。
【００７８】
更に、主制御基板８０と演出図柄制御基板８２とでは、演出図柄制御基板８２は主制御基板８０からの信号を受信する構成である。そして第１および第３ドロワコネクタ７１Ａ（７１Ｂ）、７３Ａ（７３Ｂ）の接続時に、演出図柄制御基板８２のＣＰＵ駆動用電源の方が主制御基板８０のＣＰＵ駆動用電源よりも先に供給されるので、演出図柄制御基板８２はそのＣＰＵが起動し安定してから主制御基板８０からの信号を確実に受信することができる。
特に、主制御基板８０側に遅延回路等を設け、主制御基板８０よりも演出図柄制御基板８２等を早く立ち上げるようにすることが行なわれる場合、遅延回路等の作用と相まってより確実に主制御基板よりも演出図柄制御基板等のサブ制御基板を早く立ち上げ、主制御基板から送られてくる信号を確実に受信させることができる。
【００７９】
また本実施形態では第１、第２および第３ドロワコネクタ７１Ａ（７１Ｂ）、７２Ａ（７２Ｂ）、７３Ａ（７３Ｂ）はそれぞれ、遊技盤４０をパチンコ機に組付ける時の押し込み側のコネクタ側端部が、パチンコ機の前面の横幅方向に対して後方位置となるように所定の角度で傾斜する傾斜状に設けられているので、遊技盤４０の組付け時に、前記押し込み側のコネクタ側端部側の接続端子から接続される可能性がある。しかし第１、２、３ドロワコネクタ７１Ａ（７１Ｂ）、７２Ａ（７２Ｂ）、７３Ａ（７３Ｂ）はそれぞれ、押し込み側のコネクタ側端部においてもＧＮＤが接続される構成にしたので、万が一、他端側から接続されたとしても、ＧＮＤが先に接続され、基板等が破損されることはない。
【００８０】
また、本実施形態の変形例として、例えば、第１、第２および第３ドロワコネクタを図１８（ａ）または図１８（ｂ）に示す図例のように配置してもよい。
【００８１】
図１８（ａ）は図１７と同様に図面の左側が、遊技盤４０を内枠３０に組付けるときの回転中心に当たる。本図例では、前記回転中心寄りに第３ドロワコネクタ７３Ａ（７３Ｂ）を設置し、第３ドロワコネクタ７３Ａ（７３Ｂ）の右側で、水平方向延長線上の位置に、順に第１ドロワコネクタ７１Ａ（７１Ｂ）、第２ドロワコネクタ７２Ａ（７２Ｂ）を設けるようにしてもよい。
【００８２】
図１８（ｂ）に示す図例は、下方から第１ドロワコネクタ７１Ａ（７１Ｂ）、第２ドロワコネクタ７２Ａ（７２Ｂ）および第３ドロワコネクタ７３Ａ（７３Ｂ）を上下位置に配置する。そして、第１ドロワコネクタ７１Ａ（７１Ｂ）に対して第２ドロワコネクタ７２Ａ（７２Ｂ）は、その１番、２番ピンが第１ドロワコネクタ７１Ａ（７１Ｂ）の主制御基板８０のＣＰＵ駆動用の電源を供給する５番、６番ピンと上下にほぼ同じ位置又は５番、６番ピンよりも右側にくるように配置する。更に第１ドロワコネクタ７１Ａ（７１Ｂ）に対して第３ドロワコネクタ７３Ａ（７３Ｂ）は、演出図柄制御基板８２のＣＰＵ駆動用の電源を供給する３番、４番ピンが第１ドロワコネクタ７１Ａ（７１Ｂ）の３番、４番ピン（ＣＰＵ駆動用の電源の５番、６番ピン）よりも左側で前記回転中心寄りとなるように配置してもよい。
また、コネクタを３つ設けた構成に限らず、２つの構成、４つないしそれ以上の構成に適用してもよい。
【００８３】
［第２実施形態］
次に、第２実施形態について、説明する。第２実施形態では、上述した第１実施形態の図１１、図１２、図１４、及び図１６に代わって、図１９、図２０、図２１、及び図２２を参照して説明し、他の構成は第１実施形態と同様であるので、第１実施形態の図１１、図１２、図１４、及び図１６以外の図面及び説明を援用するものとして、ここでの図示及び説明は割愛する。
【００８４】
先ず、上述したように、第２実施形態は、以下に説明する構成において第１実施形態と相違し、他の構成は共通する。本実施形態は、第１実施形態と比較して、遊技盤４０側に設けられた主制御基板８０に係るバックアップ電源生成手段を、内枠３０側に設けられた電源基板６５にて生成するのではなく、遊技盤４０側の構成である盤枠配線中継端子板９２（遊技盤中継基板）に備えた点を第１の特徴とする。
また、電源遮断時における賞球等に関する情報の記憶を、払出制御基板８１（払出制御手段）ではなく、主制御基板８０（主制御手段）に担わせた点を第２の特徴とする。以下、図示しつつ詳細に説明する。
【００８５】
図１９ないし図２２に基づいて、内枠３０側の電源基板６５や払出制御基板８１等と、遊技盤４０側の主制御基板８０や演出図柄制御基板８２等との電源線および信号線等の接続の構成を説明する。
図１９および図２０、加えて図１３に示したように、電源基板６５には、パチンコ機外部の遊技施設側からＡＣ２４Ｖ電源が、内枠３０側に設けられた電源中継基板９０および第１中継端子板（中継端子板１）９１を介して供給（給電）される。また電源基板６５はグランド線（ＧＮＤ）がパチンコ機の板金部に接続してある。
【００８６】
電源基板６５は、ＧＮＤ、電源基板６５が生成したＤＣ１２ＶＡ電源、ＤＣ５ＶＡ電源、を払出制御基板８１へ給電するとともに、ＲＷＭ初期化信号および停電検出信号１，２を払出制御基板８１へ送信可能に接続されている。
また電源基板６５は、ＧＮＤ、電源基板６５が生成したＤＣ３２ＶＡ電源、ＤＣ１８ＶＢ電源、ＤＣ１２ＶＢ電源、ＤＣ１２ＶＡ電源、ＤＣ５ＶＡ電源、を第１中継端子板９１へ給電するとともに、ＲＷＭ初期化信号および停電検出信号１，２を第１中継端子板９１へ送信可能に接続されている。
【００８７】
なお、本実施形態では、第１実施形態と異なり、電源基板６５はメモリバックアップ用のバックアップ電源としてＤＣ５ＶＢＢ電源を生成しない構成となっている。
【００８８】
また、電源基板６５はメモリバックアップ用のバックアップ電源としてＤＣ５ＶＢＢ電源を生成しないことで、払出制御基板８１に対して、メモリバックアップ用のバックアップ電源を供給しない。したがって、本実施形態の払出制御基板８１は、電源が遮断されたとき、遮断時の未払出球数等の払出制御に係る情報を保持することは不能となっている。
【００８９】
図１９および図２１、加えて図１３に示すように、前記各種の電源および前記各種の信号のうち、ＧＮＤ、ＤＣ５ＶＡ電源、ＤＣ１２ＶＡ電源、ＤＣ３２ＶＡ電源、ＲＷＭ初期化信号および停電検出信号１，２が第１中継端子板９１を介して枠側第１ドロワコネクタ７１Ｂへ接続される。
【００９０】
これらの電源および信号が接続された枠側第１ドロワコネクタ７１Ｂの接続端子のピン配置は図２２（ａ）に示すように構成してある。上下に２段、横方向に８ピンずつ並設された１６ピンからなる第１ドロワコネクタ７１Ｂには、遊技盤４０を内枠３０に組付ける際に回転中心となる一方の側縁４０３（３０３）側の端部の上下の１番ピン、２番ピンおよびこれらに隣接する３番ピン、４番ピンにＧＮＤが接続されている。
【００９１】
そしてＧＮＤを除く電源および信号の中では最も前記回転中心寄りとなる上下の５番ピン，６番ピン、および７番ピンに主制御基板８０のＣＰＵ駆動用の電源であるＤＣ５ＶＡ電源が接続されている。そして、８，９番ピンにＤＣ１２ＶＡ電源が、１０，１１番ピンにＤＣ３２ＶＡ電源が接続され、更に１２，１３，１４番ピンにそれぞれＲＷＭ初期化信号および停電検出信号１，２が接続され、１５，１６番ピンにＧＮＤが接続されている。
【００９２】
このように本実施形態では、上記７番ピンには、主制御基板８０のＣＰＵ駆動用の電源であるＤＣ５ＶＡ電源が接続されており、電源基板６５からのメモリバックアップ用のバックアップ電源としてＤＣ５ＶＢＢ電源が接続される構成は採用されていない。
ＤＣ１２ＶＡ電源は遊技球を検出するためのスイッチ類の電源、保留記憶数や特図、普図を表示するためのＬＥＤ類の表示用等の電源として使用される。ＤＣ３２ＶＡ電源は特図始動口４１４を開放するためソレノイドや大入賞口４１５を開放するためのソレノイド等の電源として使用される。
【００９３】
勿論、枠側第１ドロワコネクタ７１Ｂと接続される盤側第１ドロワコネクタ７１Ａのピン配置も同様の構成である。
【００９４】
本実施形態の盤枠配線中継端子板９２には、図２１に示すように、盤側第１ドロワコネクタ７１Ａと、主制御基板８０へ接続するための主制御装置供給コネクタ９２Ａまでの途中に、バックアップ電源生成手段９９を備える。主制御装置供給コネクタ９２Ａは、１番ピン〜１６番ピンを具備し、上述した盤側第１ドロワコネクタ７１Ａの１番ピン〜１６番ピンに供給された電源（７番ピンのＤＣ５ＶＡはバックアップ電源生成手段９９にてＤＣ５ＶＢＢに生成）及び信号を、前記１番ピン〜１６番ピンを介して、主制御基板８０側の、主制御装置受給コネクタ８０Ａに供給する。
【００９５】
バックアップ電源生成手段９９は、主制御基板８０のメモリバックアップ用のバックアップ電源として、ＤＣ５ＶＢＢ電源を生成するための装置である。バックアップ電源生成手段９９は、盤枠配線中継端子板９２の盤側第１ドロワコネクタ７１Ａと、主制御装置供給コネクタ９２Ａとの間に設けられる。バックアップ電源生成手段９９は、盤側第１ドロワコネクタ７１Ａを介して入力されたＤＣ５ＶＡ電源、ＤＣ１２ＶＡ電源、ＤＣ３２ＶＡ電源の内の、その一部であるＤＣ５ＶＡ電源を利用することで、ＤＣ５ＶＢＢを生成する。該ＤＣ５ＶＢＢは、主制御装置供給コネクタ９２Ａを介して、主制御基板８０に供給される。
【００９６】
よって、本実施形態では、図２１に示すように、遊技盤４０側において盤側第１ドロワコネクタ７１Ａおよび、バックアップ電源生成手段９９が取付けられた盤枠配線中継端子板９２を介して、主制御基板８０へ、ＧＮＤ、ＤＣ５ＶＡ電源、ＤＣ１２ＶＡ電源、ＤＣ３２ＶＡ電源、さらにＤＣ５ＶＡ電源を利用してバックアップ電源生成手段９９で生成されたＤＣ５ＶＢＢ電源、が供給され、ＲＷＭ初期化信号および停電検出信号１，２が通信可能に接続される。
【００９７】
より詳述すると、図２１に示すように、接続された枠側第１ドロワコネクタ７１Ｂの７番ピンおよび盤側第１ドロワコネクタ７１Ａの７番ピンを介してＤＣ５ＶＡが入力され、該ＤＣ５ＶＡを利用して、盤枠配線中継端子板９２に設けられたバックアップ電源生成手段９９が、バックアップ電源としてのＤＣ５ＶＢＢ電源を生成し、該ＤＣ５ＶＢＢ電源を盤枠配線中継端子板９２の図示右上部の７番ピンおよび主制御基板８０の図示左上部の７番ピンを介して、主制御基板８０に送電可能に構成されている。
【００９８】
これにより、例えば遊技中に何らかの不具合が発生して、原因究明のために遊技盤４０を内枠３０から取り外して調査しなければならなくなり、枠側第１ドロワコネクタ７１Ｂと盤側第１ドロワコネクタ７１Ａの接続状態が解除されて、内枠３０に設けられた電源基板６５からの電源が、遊技盤４０に設けられた主制御基板８０に供給されない状態となった場合であっても、盤側第１ドロワコネクタ７１Ａが設けられた盤枠配線中継端子板９２に、主制御基板８０のメモリバックアップ用のバックアップ電源（ＤＣ５ＶＢＢ電源）を生成するバックアップ電源生成手段９９を具備しているので、主制御基板８０に記憶された情報の揮発を回避することが出来、遊技途中であった遊技者に損害を被らせることを防止できると共に、不具合を放置することなく原因究明を確実に行うことが出来る。
【００９９】
また、バックアップ電源生成手段９９を新設するにあたり、固有の新たな基板を備えるのではなく、従来から設けられてきた盤枠配線中継端子板９２に設けるようにしたので、狭隘化が進む遊技盤側の領域に、バックアップ電源生成手段９９を設けるための新たなスペースを確保する必要がなく、容易にバックアップ電源生成手段９９を設けることができる。
【０１００】
また、同様に、バックアップ電源生成手段９９を新設するにあたり、固有の新たな基板を備えるのではなく、従来から設けられてきた盤枠配線中継端子板９２に設けるようにしたので、遊技盤側に設けられた他の構成との配置関係に制約されることなく、容易にバックアップ電源生成手段９９を設けることができる。
【０１０１】
さらに、バックアップ電源生成手段９９を主制御基板８０に直接設けるのではなく、盤枠配線中継端子板９２に設けるようにしたので、予め不正に確変状態等の有利な状態を仕込んだ不正な主制御基板に交換出来てしまう危険性がない。
【０１０２】
なお、本実施形態の、盤側第２ドロワコネクタ７２Ａ、枠側第２ドロワコネクタ７２Ｂ、盤側第３ドロワコネクタ７３Ａ、枠側第３ドロワコネクタ７３Ｂ、については、第１実施形態と同様の構成である。
【０１０３】
なお、図示しないが、本実施形態の主制御基板８０へは、遊技盤４０の遊技領域４１に配設された、各種入賞口等への入賞に起因して発生した賞球に係る払出情報が入力されるよう構成されている。さらに、主制御基板８０は、該払出情報を、記憶可能な所定のメモリを具備する。該メモリは、電源遮断時に遊技盤４０を内枠３０から取り外した際においても、上述したバックアップ電源生成手段９９（図２１参照）で生成されたＤＣ５ＶＢＢ電源によって、バックアップ可能となっている。
【０１０４】
このように本実施形態では、払出制御基板８１の払出制御により生成された払出情報を、主制御基板８０にて記憶し、該主制御基板８０に対してバックアップ電源（ＤＣ５ＶＢＢ電源）を備えるようにした。また、上述したように、電源基板６５は払出制御基板８１に対して、メモリバックアップ用のバックアップ電源としてＤＣ５ＶＢＢ電源を生成しないことで、本実施形態の払出制御基板８１は、電源が遮断されたとき、遮断時の未払出球数等の払出制御に係る情報を保持することは不能とした。
これにより、何らかの不具合発生に伴う原因究明のため、遊技中に電源を遮断して、遊技盤４０を内枠３０から取り外しても、バックアップ電源（ＤＣ５ＶＢＢ電源）によりバックアップされた主制御基板８０が、未払出に係る払出情報を記憶保持可能となっているので、遊技者に不利益を被らせるおそれがない。
【０１０５】
以上、本発明の実施の形態を説明してきたが、これに限定するものではない。例えば、上述した実施形態では、賞球を機外に払い出す構成を例示したが、これに限らず、パチンコ機台内に所定数の遊技球が封入され、封入された遊技球を遊技盤の遊技領域に向けて発射するとともに、発射された遊技球を回収し、回収した遊技球を再度発射することで内部の所定数の遊技球を循環的に使用して遊技を行う封入式パチンコ機に適用してもよい。
【０１０６】
また、第２実施形態において、内枠３０側に、枠側第１ドロワコネクタ７１Ｂを備える遊技枠側中継基板を設けるようにしても良い。これにより、枠側第１ドロワコネクタ７１Ｂを内枠３０側に設ける上で、内枠３０に直接に配設するのではなく、遊技枠側中継基板上に搭載した上で、該基板を内枠３０に設けるようにするので、取り付けが容易となる。
【０１０７】
また、第２実施形態（図１９〜図２１参照）において、電源基板６５で、ＤＣ５ＶＡ、ＤＣ１２ＶＡ、およびＤＣ３２ＶＡの電源が生成され、該電源が枠側第１ドロワコネクタ７１Ｂと盤側第１ドロワコネクタ７１Ａを介して、盤枠配線中継端子板９２に入力され、ＤＣ５ＶＡを利用してバックアップ電源生成手段９９がＤＣ５ＶＢＢを生成し、該ＤＣ５ＶＢＢを主制御基板８０に送電する構成とした。しかし、この構成に限らず、例えば電源基板６５では、少なくともＤＣ１２ＶＡを生成し、ＤＣ５ＶＡは生成しないようにしても良い。また、バックアップ電源生成手段９９は、第２実施形態と同様に、盤枠配線中継端子板９２に設けるようにしても良い。さらに、主制御基板８０は、電源基板６５から盤枠配線中継端子板９２を介して、前記ＤＣ１２ＶＡが入力されて来たら、該ＤＣ１２ＶＡをＤＣ５ＶＡに変換する処理を行い、該変換して生成されたＤＣ５ＶＡを盤枠配線中継端子板９２の前記バックアップ電源生成手段９９に供給し、該バックアップ電源生成手段９９は供給されたＤＣ５ＶＡを利用してＤＣ５ＶＢＢを生成し、該ＤＣ５ＶＢＢによって主制御基板８０はメモリをバックアップするようにしても良い。これにより、電源基板６５は、生成する電源の種別を減少させることができ、構成が簡易となることでコストダウンを図ることができる。
【０１０８】
また、第２実施形態（図１９〜図２２参照）において、バックアップ電源生成手段９９が生成したＤＣ５ＶＢＢを、主制御基板８０にのみ供給する構成としたが、この構成に加えて、内枠３０側の払出制御基板８１にも供給するようにしても良い。このとき、主制御基板８０は第２実施形態と異なり、未払出の払出情報を記憶せず、供給されたＤＣ５ＶＢＢによって遊技情報の記憶を保持し、対して、払出制御基板８１は第２実施形態と異なり、未払出の払出情報を記憶し、供給されたＤＣ５ＶＢＢによって該払出情報の記憶を保持するようにしても良い。この際、主制御基板８０が記憶する遊技情報とは、例えば、パチンコ機１が制御されている現在の遊技状態の種別（低確率且つ時短無し状態、低確率且つ時短有り状態、高確率且つ時短無し状態、及び高確率且つ時短有り状態、の何れかの種別）や、始動口への入賞に係る情報、保留記憶に係る情報等、の情報である。
このように構成したとき、主制御基板８０では払出情報を記憶しないようになるので、遊技中に何らかの不具合により内枠３０から遊技盤４０を取り外した場合には、払出制御基板８１へのＤＣ５ＶＢＢが供給されず、払出制御基板８１は払出情報を記憶保持することが不能となってしまう。ＤＣ５ＶＢＢが供給される主制御基板８０は、遊技情報を記憶保持しているとしても、内枠３０に遊技盤４０を再度取り付けた場合に、払出制御基板８１が払出情報の記憶を消失してしまった旨を遊技者に報知するようにすることが好適である。
【０１０９】
すなわち、内枠３０から遊技盤４０を取り外すことで発生する状態つまり、主制御基板８１の記憶は保持されているが払出制御基板８１の記憶は消去されているという状態となった場合、電源復帰時には払出制御基板８１の記憶が消失した旨を報知することが好適である。
【０１１０】
また、第２実施形態（図１９〜図２２参照）において、バックアップ電源生成手段９９が生成したＤＣ５ＶＢＢを、主制御基板８０にのみ供給する構成としたが、この構成に加えて、内枠３０側に、前記バックアップ電源生成手段９９とは別のバックアップ電源生成手段を備えて、該別のバックアップ電源生成手段が生成したＤＣ５ＶＢＢを、払出制御基板８１にも供給するようにしても良い。このとき、主制御基板８０は第２実施形態と異なり、未払出の払出情報を記憶せず、供給されたＤＣ５ＶＢＢによって遊技情報の記憶を保持し、対して、払出制御基板８１は第２実施形態と異なり、未払出の払出情報を記憶し、供給されたＤＣ５ＶＢＢによって該払出情報の記憶を保持するようにしても良い。
このように構成したとき、遊技中に何らかの不具合により内枠３０から遊技盤４０を取り外した場合であっても、払出制御基板８１へは個別のバックアップ電源生成手段が生成したＤＣ５ＶＢＢが供給され、払出制御基板８１は払出情報を記憶保持することが可能となる。よって、内枠３０から遊技盤４０を取り外しても、或いは取り外さなかったとしても、パチンコ機１は、払出情報を確実に保持可能な構成となっている。
【０１１１】
さらに、上述した第２実施形態では、電源基板６５は、主制御基板８０のＣＰＵ駆動用の電源として、ＤＣ５ＶＡ電源を、遊技球を検出するためのスイッチ類の電源、保留記憶数や特図、普図を表示するためのＬＥＤ類の表示用等の電源として、ＤＣ１２ＶＡ電源を、特図始動口４１４を開放するためのソレノイドや大入賞口４１５を開放するためのソレノイド等の電源として、ＤＣ３２ＶＡ電源を、さらに、バックアップ電源生成手段９９は、主制御基板８０のメモリバックアップ用のバックアップ電源として、ＤＣ５ＶＢＢ電源を生成する構成を例示した。しかし、このような各用途に対して生成される各種電源の電圧は、上述した５Ｖ、１２Ｖ、３２Ｖに限定するものではなく、各用途として供給されたときに充分に用途に耐え得る電圧であれば他の電圧であっても良い。例えば、５Ｖが５．５Ｖであっても、使用上問題が無ければ良い。
【０１１２】
［特許請求の範囲との対応］
上記実施形態の説明で用いた用語と、特許請求の範囲の記載に用いた用語との対応を示す。
主制御基板８０が、主制御装置の一例に相当する。
少なくとも主制御基板８０が、各種装置の一例に相当する。
電源基板６５が、電力供給手段の一例に、内枠３０が、遊技枠の一例に、パチンコ機１が、遊技機の一例に相当する。
盤側第１ドロワコネクタ７１Ａが、遊技盤側コネクタの一例に相当する。
盤枠配線中継端子板９２が、遊技盤側中継基板の一例に相当する。
枠側第１ドロワコネクタ７１Ｂが、遊技枠側コネクタの一例に相当する。
メモリバックアップ用のバックアップ電源としてＤＣ５ＶＢＢ電源が、主制御装置用のバックアップ電源の一例に相当する。
バックアップ電源生成手段９９が、バックアップ電源生成手段の一例に相当する。
【０１１３】
払出制御基板８１が、払出制御装置の一例に相当する。
【符号の説明】
【０１１４】
１  パチンコ機（遊技機）
３０  内枠（遊技枠）
４０  遊技盤
５３  サポート部材
６５  電源基板
７１Ａ  盤側第１ドロワコネクタ（盤側第１コネクタ）
７１Ｂ  枠側第１ドロワコネクタ（枠側第１コネクタ）
７２Ａ  盤側第２ドロワコネクタ（盤側第２コネクタ）
７２Ｂ  枠側第２ドロワコネクタ（枠側第２コネクタ）
７３Ａ  盤側第３ドロワコネクタ（盤側第３コネクタ）
７３Ｂ  枠側第３ドロワコネクタ（枠側第３コネクタ）
８０  主制御基板
８２  演出図柄制御基板（サブ制御基板）
【図１】
2018038506.tif 000003
【図２】
2018038506.tif 000004
【図３】
2018038506.tif 000005
【図４】
2018038506.tif 000006
【図５】
2018038506.tif 000007
【図６】
2018038506.tif 000008
【図７】
2018038506.tif 000009
【図８】
2018038506.tif 000010
【図９】
2018038506.tif 000011
【図１０】
2018038506.tif 000012
【図１１】
2018038506.tif 000013
【図１２】
2018038506.tif 000014
【図１３】
2018038506.tif 000015
【図１４】
2018038506.tif 000016
【図１５】
2018038506.tif 000017
【図１６】
2018038506.tif 000018
【図１７】
2018038506.tif 000019
【図１８】
2018038506.tif 000020
【図１９】
2018038506.tif 000021
【図２０】
2018038506.tif 000022
【図２１】
2018038506.tif 000023
【図２２】
2018038506.tif 000024